(57)【要約】【課題】開閉扉を閉じた際における剛性を確保しつつ開口部の開口面積を拡大することができる印刷機の開閉扉構造を提供すること。【解決手段】圧胴５と中間胴１０との双方に対して開口した開口部２１の全体を開閉可能な開閉足場４０を設け、さらに、開口部２１の一部を開閉すると共に、開閉足場４０と重ねて閉じられる膝置き台５０を設ける。このため、双方を重ねて閉じることにより、膝置き台５０が設けられている部分の強度を向上させることができる。また、膝置き台５０は、必要に応じて開閉することができるので、あまり大きな開口部２１が必要ではない場合には膝置き台５０は閉じた状態にし、大きな開口部２１が必要な場合には膝置き台５０を開くことにより、開口部２１の開口面積を大きくすることができる。これらの結果、開閉扉である開閉足場４０を閉じた際における剛性を確保しつつ開口部２１の開口面積を拡大することができる。【選択図】        図９
2008229910.tif 000002
【特許請求の範囲】
【請求項１】
互いに対接する第１回転胴及び第２回転胴と、
前記第１回転胴と前記第２回転胴との少なくとも一部を覆うカバー部と、
前記カバー部に形成され、前記第１回転胴と前記第２回転胴との双方に対して開口した開口部と、
主開閉扉回動軸を中心に回動することにより前記開口部の全体を開閉可能な主開閉扉と、
副開閉扉回動軸を中心に回動することにより前記開口部の一部を開閉可能に形成されると共に前記主開閉扉を閉じる際には前記主開閉扉と重ねて閉じられる副開閉扉と、
を備えることを特徴とする印刷機の開閉扉構造。
【請求項２】
前記副開閉扉は、外周部分が折り返されていることを特徴とする請求項１に記載の印刷機の開閉扉構造。
【請求項３】
前記主開閉扉と前記副開閉扉とは、同じ方向に開閉可能に設けられており、
前記副開閉扉は、前記副開閉扉を閉じた際に閉じる方向に作用する力を前記カバー部に伝達可能に形成されていることを特徴とする請求項１または２に記載の印刷機の開閉扉構造。
【請求項４】
前記副開閉扉は、前記副開閉扉を閉じた際に閉じる方向に作用する力を前記副開閉扉回動軸を中心とした回動方向に向きを変えて前記カバー部に伝達可能に形成されていることを特徴とする請求項３に記載の印刷機の開閉扉構造。
【請求項５】
前記副開閉扉は、前記副開閉扉を閉じた際に閉じる方向に作用する力を面接触により前記カバー部に伝達可能に形成されていることを特徴とする請求項３または４に記載の印刷機の開閉扉構造。
【請求項６】
前記カバー部は、前記副開閉扉を閉じた際における閉じる方向に作用する力を受ける副開閉扉支持部を有していることを特徴とする請求項３〜５のいずれか１項に記載の印刷機の開閉扉構造。
【請求項７】
前記カバー部は、前記主開閉扉を閉じた際における閉じる方向に作用する力を受ける主開閉扉支持部を有していることを特徴とする請求項１〜６のいずれか１項に記載の印刷機の開閉扉構造。
【請求項８】
前記主開閉扉回動軸と前記副開閉扉回動軸とは、前記第１回転胴及び前記第２回転胴の回転軸と平行に形成されていると共に互いに近接していることを特徴とする請求項１〜７のいずれか１項に記載の印刷機の開閉扉構造。
【請求項９】
前記第１回転胴は前記印刷機の圧胴として形成されており、
前記第２回転動は前記印刷機の中間胴として形成されており、
前記主開閉扉回動軸及び前記副開閉扉回動軸は、前記圧胴と前記中間胴とのうち前記中間胴寄りの位置に設けられていることを特徴とする請求項８に記載の印刷機の開閉扉構造。
【発明の詳細な説明】
【技術分野】
【０００１】
本発明は、印刷機の開閉扉構造に関するものである。特に、この発明は、印刷機の圧胴や中間胴のメンテナンス作業などを行なう際に開閉可能な印刷機の開閉扉構造に関するものである。
【背景技術】
【０００２】
図１３及び図１４は、従来の印刷機の開閉扉を説明するものであり、図１３は、従来の印刷装置の概略構成図、図１４は、図１３のＥ部詳細図である。図１３に示すように、枚葉印刷機などの印刷機の印刷装置８１ａ、８１ｂは、上流側から搬送されてくるシート８２へ所定の印刷を施すユニットであり、インキ溜（図示省略）に供給されたインキはインキローラ群１００を順次転移する過程で適度に練られ、インキ被膜として版胴１０１に装着した刷版１０２へ転移供給され、更に絵柄として下流のブランケット胴１０３の外周面に転移される。その後、このインキが、ブランケット胴１０３と圧胴８４ａ、８４ｂ（個々に区別しない場合は符号８４で示す）との間を走行するシート８２の表面へ転写されて、所定の印刷が完了する。
【０００３】
なお、１組の印刷装置８１においては一色のみの印刷しかできない。そこで、多色印刷を施す印刷機では、シート８２の走行方向に沿ってインキ色の異なる複数組の印刷装置８１ａ、８１ｂが並設された印刷装置部（印刷装置群）として構成し、各印刷装置８１ａ、８１ｂを順次通紙させることによって目的とする多色印刷を行なうようになっている。多色刷りの印刷機では印刷色数に応じた数の印刷装置８１ａ、８１ｂが備えられており、これら複数の印刷装置８１ａ、８１ｂから印刷装置部が構成されている。図１３では一例として２色刷りの印刷装置部を示している。
【０００４】
また、各印刷装置８１ａ、８１ｂの圧胴８４ａ、８４ｂ間には、各圧胴８４ａ、８４ｂにそれぞれ接して印刷装置８１ａ、８１ｂを接続する中間胴８５が設けられている。また、圧胴８４ａ、８４ｂ及び中間胴８５の周面内にはそれぞれ、シート８２を把持するための爪９４、９５が備えられている。これにより、これらの爪９４、９５が適宜のタイミングでシート８２を把持又は解放することにより、シート８２が、当該シート８２の移動方向における上流側の圧胴８４ａから下流側の圧胴８４ｂに受け渡されるようになっている。従って、例えば印刷装置８１ａにおいて圧胴８４ａの爪９４に把持された状態で所定の印刷が施されたシート８２は、当該印刷装置８１ａの圧胴８４ａと中間胴８５とが対接する対接部（受渡し点）９８において、圧胴８４ａの爪９４から中間胴８５の爪９５に受け渡され、その後、中間胴８５と印刷装置８１ｂの圧胴８４ｂの爪９４とが対接する対接部（受渡し点）９９において、中間胴８５の爪９５から圧胴８４ｂの爪９４に受け渡され、印刷装置８１ｂにおいて圧胴８４ｂの爪９４に把持された状態で所定の印刷が施される。
【０００５】
また、圧胴８４ａの上方には、圧胴８４ａの表面９１に沿った形状（略円弧形状）を有する棒状の紙ガイド８８が設けられている。この紙ガイド８８は、図１４に示すように、機械幅方向に延在する支持梁８９に支持されて機械幅方向に複数並んで設けられており、圧胴８４ａの爪９４に把持されたシート８２が対接部９８において中間胴８５の爪９５に受け渡される際、シート８２の後端が跳ね上がって中間胴８５の表面９２に強く叩きつけられるのを防止するようになっている。また、紙ガイド８８は、機械幅方向へ移動可能に支持梁８９に支持されている。なお、図１４では印刷装置８１ａの圧胴８４ａにのみ紙ガイド８８を図示しているが、印刷装置８１ｂの圧胴８４ｂにも上記と同様の紙ガイド８８が設けられている。
【０００６】
ところで、印刷機で印刷をした場合、圧胴８４の表面９１における当該圧胴８４の軸方向の端部付近などシート８２が接触しない部分には、インキが飛散してインキ汚れが生じ、このインキ汚れが当該部分に堆積し易くなっている。従って、例えば、比較的小さいサイズのシート８２への印刷を行なった後、このシート８２よりも大きなサイズのシート８２への印刷を開始すると、上記のようにインキ汚れが堆積した部分にシート８２が接触する。これにより、インキ汚れがシート８２に写るだけでなく、インキ汚れの厚さ分に応じて印圧が増加して綺麗な印刷が行なえなくなる。また、このようなインキ汚れを長時間放置しておくとインキ汚れが圧胴８４の表面９１に強固に付着してしまうため、インキ汚れを落とすことは大変な作業となる。また、中間胴８５の表面９２にはシート８２の印刷面が接触するため、予め中間胴８５の表面９２には特殊な表面処理を施しておいたり、裏写り防止材などの被服材を貼り付けておいたりしているが、定期的な清掃や被覆材の交換が必要となる。従って、かかる不具合が生じないように定期的に圧胴８４や中間胴８５のメンテナンス（点検・保守作業）を行なう必要がある。
【０００７】
このため、印刷機の印刷装置８１ａ、８１ｂ間には、図１４に示すように、主に印刷装置８１の圧胴８４のメンテナンスを行なうための開閉扉である圧胴側開閉扉（圧胴側足場）８６と、中間胴８５のメンテナンスを行なうための開閉扉である中間胴側開閉扉（中間胴側足場）８７とが設けられている。また、印刷装置８１ａと印刷装置８１ｂとの間に形成されたスペース９７の略中央には、梁９６が機械幅方向に延びて設置されており、圧胴側開閉扉８６及び中間胴側開閉扉８７は、この梁９６に固設されたピン９３に取り付けられ、このピン９３を支点にして、圧胴側開閉扉８６は図１４中の矢印Ａ1の方向へ開き、中間胴側開閉扉８７は図１４中の矢印Ａ2の方向へ開くようになっている。
【０００８】
一般に印刷装置８１ａと印刷装置８１ｂとの間の距離Ｌ（図１３参照）は、例えば４５０ｍｍ程度と比較的狭いため、圧胴側開閉扉８６及び中間胴側開閉扉８７の両方を同時に開いて作業することはできず、圧胴側開閉扉８６及び中間胴側開閉扉８７のいずれか一方のみを開けて作業を行なう。従って、圧胴８４ａの表面９１の清掃や爪９４の調整などの圧胴８４ａに関する作業は圧胴側開閉扉８６を開いて行ない、中間胴８５の表面９２の清掃や爪９５の調整などの中間胴８５に関する作業は中間胴側開閉扉８７を開いて行なう。
【０００９】
圧胴８４には、上述したようにシート８２が中間胴８５に接触して損傷しないように紙ガイド８８が設けられているが、圧胴８４及び中間胴８５には、この紙ガイド８８以外、シート８２に接触するようなものは何も設置されていない。このため、例えば圧胴側開閉扉８６を開いて作業するときは、圧胴８４ａと中間胴８５との対接部９８に清掃布、工具或いは手などが巻き込まれないように十分に注意する必要がある。同様に、中間胴側開閉扉８７を開いて作業するときは、中間胴８５と梁９６との間に清掃布、工具或いは手などが巻き込まれないように十分に注意する必要がある。
【００１０】
このため、従来の印刷機では、万が一の事態に備え、このような巻き込みを防止する安全装置が備えられているものがある。例えば、特許文献１に記載の印刷機の安全装置では、圧胴側開閉扉である圧胴側足場や中間胴側開閉扉である中間胴側足場の開閉状態を検出するリミットスイッチが備えられている。これにより、このリミットスイッチによって圧胴側足場または中間胴側足場が開状態であることを検出した場合には、印刷機を停止するとともに、印刷機の運転モードを、通常の印刷速度よりも低速で清掃などのメンテナンス時に適した緩動速度（微速運転）のみを許容する「緩動モード」に設定される。
【００１１】
さらに、この印刷機の安全装置では、対接部への異物の進入を検知する検知手段である安全バーと、この安全バーを移動可能な移動手段である移動機構とが備えられている。この安全バーは、圧胴側足場及び中間胴側足場の双方が閉じている場合や、中間胴側足場が開状態になっている場合には、中間胴側に位置している。これにより、印刷時には、圧胴に設けられる紙ガイドによってシートが中間胴に接触することはなく、また、中間胴側足場を開状態にした場合にも安全バーは中間胴側に位置しているので、中間胴側から進入する異物を検知することができる。また、移動機構は、圧胴側足場が開状態になった場合には、安全バーを圧胴側に移動可能に設けられている。これにより、圧胴側足場が開かれた場合に、圧胴側から進入する異物を検知することができる。これらの結果、互いに対接する２つの回転胴のそれぞれのメンテナンスをより安全に行なえるようにすることができる。
【００１２】
【特許文献１】特開２００５−２４６８５９号公報
【発明の開示】
【発明が解決しようとする課題】
【００１３】
しかしながら、回転胴のメンテナンスをする際には、作業スペースはなるべく大きい方が好ましいが、特許文献１に記載された印刷機の安全装置における印刷機など従来の印刷機では、印刷装置８１ａと印刷装置８１ｂとの間に梁９６（図１４参照）が設けられている。このため、回転胴のメンテナンスを行なう際に開く開閉扉は、圧胴側開閉扉８６と中間胴側開閉扉８７とのように梁９６を挟んで二分割となってしまい、メンテナンス時における開口部分は小さくなってしまう。印刷装置８１ａと印刷装置８１ｂとの間に梁を設けると、このようにメンテナンス時における開口部分は小さくなってしまうため、メンテナンス性を考慮した場合、梁９６を除去することが考えられる。しかし、圧胴側開閉扉や中間胴側開閉扉を含めたこの部分は、メンテナンス作業時などに人が歩いたりする足場となっているため、剛性の確保は重要であり、梁９６を除去するのは困難なものとなっている。これらにより、メンテナンス時における開口部の開口面積の拡大と開閉扉を閉じた際における剛性の確保とを両立することは困難なものとなっていた。
【００１４】
本発明は、上記に鑑みてなされたものであって、開閉扉を閉じた際における剛性を確保しつつ開口部の開口面積を拡大することができる印刷機の開閉扉構造を提供することを目的とする。
【課題を解決するための手段】
【００１５】
上述した課題を解決し、目的を達成するために、この発明に係る印刷機の開閉扉構造は、互いに対接する第１回転胴及び第２回転胴と、前記第１回転胴と前記第２回転胴との少なくとも一部を覆うカバー部と、前記カバー部に形成され、前記第１回転胴と前記第２回転胴との双方に対して開口した開口部と、主開閉扉回動軸を中心に回動することにより前記開口部の全体を開閉可能な主開閉扉と、副開閉扉回動軸を中心に回動することにより前記開口部の一部を開閉可能に形成されると共に前記主開閉扉を閉じる際には前記主開閉扉と重ねて閉じられる副開閉扉と、を備えることを特徴とする。
【００１６】
この発明では、第１回転胴と第２回転胴との双方に対して開口した開口部の全体を開閉可能な主開閉扉を設け、さらに、開口部の一部を開閉すると共に、主開閉扉と重ねて閉じられる副開閉扉を備えている。このため、主開閉扉と副開閉扉とを重ねて閉じた際には、副開閉扉が設けられている部分は強度が向上するため、剛性を確保することができる。また、主開閉扉と重ねて閉じることにより剛性を確保する部材として作用をする副開閉扉は、開口部の一部を開閉可能に形成されているため、必要に応じて開閉することができる。例えば、第１回転胴や第２回転胴のメンテナンス作業時などに、あまり大きな開口部が必要ではない場合には副開閉扉は閉じた状態にし、大きな開口部が必要な場合には副開閉扉を開くことにより、開口部の開口面積を大きくすることができる。これらの結果、開閉扉を閉じた際における剛性を確保しつつ開口部の開口面積を拡大することができる。
【００１７】
また、この発明に係る印刷機の開閉扉構造は、前記副開閉扉は、外周部分が折り返されていることを特徴とする。
【００１８】
この発明では、副開閉扉は、外周部分が折り返されているので、副開閉扉単体の剛性の向上を図ることができる。このため、主開閉扉を閉じる際に、この副開閉扉と重ねて閉じることにより、主開閉扉を閉じた際における剛性の向上を図ることができる。この結果、より確実に開閉扉を閉じた際における剛性を確保しつつ開口部の開口面積を拡大することができる。
【００１９】
また、この発明に係る印刷機の開閉扉構造は、前記主開閉扉と前記副開閉扉とは、同じ方向に開閉可能に設けられており、前記副開閉扉は、前記副開閉扉を閉じた際に閉じる方向に作用する力を前記カバー部に伝達可能に形成されていることを特徴とする。
【００２０】
この発明では、副開閉扉は、当該副開閉扉を閉じた際に閉じる方向に作用する力をカバー部に伝達可能に設けられているので、副開閉扉を主開閉扉と重ねて閉じた場合に、主開閉扉に作用する力を、副開閉扉を介してカバー部に伝達することができる。これにより、主開閉扉を閉じた際に、より大きな力を主開閉扉で受けることができる。この結果、より確実に開閉扉を閉じた際における剛性を確保しつつ開口部の開口面積を拡大することができる。
【００２１】
また、この発明に係る印刷機の開閉扉構造は、前記副開閉扉は、前記副開閉扉を閉じた際に閉じる方向に作用する力を前記副開閉扉回動軸を中心とした回動方向に向きを変えて前記カバー部に伝達可能に形成されていることを特徴とする。
【００２２】
この発明では、副開閉扉を閉じる方向に作用する力を、副開閉扉回動軸を中心とした回動方向に向きを変えてカバー部に伝達可能に形成されているので、主開閉扉に対して閉じる方向に作用する力を、副開閉扉を介してより確実にカバー部に伝達することができる。これにより、主開閉扉を閉じた際に、より大きな力を主開閉扉で受けることができる。この結果、より確実に開閉扉を閉じた際における剛性を確保しつつ開口部の開口面積を拡大することができる。
【００２３】
また、この発明に係る印刷機の開閉扉構造は、前記副開閉扉は、前記副開閉扉を閉じた際に閉じる方向に作用する力を面接触により前記カバー部に伝達可能に形成されていることを特徴とする。
【００２４】
この発明では、副開閉扉は、閉じる方向に作用する力を面接触によりカバー部に伝達可能に形成されているので、主開閉扉に対して閉じる方向に作用する力を、副開閉扉を介してカバー部に伝達する際に、より大きな力を伝達することができる。これにより、主開閉扉を閉じた際に、より大きな力を主開閉扉で受けることができる。この結果、より確実に開閉扉を閉じた際における剛性を確保しつつ開口部の開口面積を拡大することができる。
【００２５】
また、この発明に係る印刷機の開閉扉構造は、前記カバー部は、前記副開閉扉を閉じた際における閉じる方向に作用する力を受ける副開閉扉支持部を有していることを特徴とする。
【００２６】
この発明では、カバー部に、副開閉扉に対して閉じる方向に作用する力を受ける副開閉扉支持部が設けられているので、副開閉扉に作用する力をカバー部で受ける際に、より大きな力を受けることができる。これにより、主開閉扉に対して閉じる方向に作用する力を、副開閉扉を介してカバー部で受ける際に、より大きな力を受けることができるので、主開閉扉を閉じた際に、より大きな力を主開閉扉で受けることができる。この結果、より確実に開閉扉を閉じた際における剛性を確保しつつ開口部の開口面積を拡大することができる。
【００２７】
また、この発明に係る印刷機の開閉扉構造は、前記カバー部は、前記主開閉扉を閉じた際における閉じる方向に作用する力を受ける主開閉扉支持部を有していることを特徴とする。
【００２８】
この発明では、カバー部に、主開閉扉に対して閉じる方向に作用する力を受ける主開閉扉支持部が設けられているので、主開閉扉に作用する力をカバー部で受ける際に、より大きな力を受けることができる。これにより、主開閉扉を閉じた際に、より大きな力を主開閉扉で受けることができる。この結果、より確実に開閉扉を閉じた際における剛性を確保しつつ開口部の開口面積を拡大することができる。
【００２９】
また、この発明に係る印刷機の開閉扉構造は、前記主開閉扉回動軸と前記副開閉扉回動軸とは、前記第１回転胴及び前記第２回転胴の回転軸と平行に形成されていると共に互いに近接していることを特徴とする。
【００３０】
この発明では、主開閉扉回動軸と前記副開閉扉回動軸とは、互いに近接しているため、主開閉扉と副開閉扉とを共に開いた場合、双方は重ねて開かれた状態になる。このため、開いた状態における主開閉扉と副開閉扉とは、１箇所に位置することになるので、メンテナンス作業等を行なう場合でも、主開閉扉や副開閉扉が作業等の邪魔になることを、極力抑えることができる。この結果、開閉扉を開いた際における作業性の向上を図ることができる。
【００３１】
また、この発明に係る印刷機の開閉扉構造は、前記第１回転胴は前記印刷機の圧胴として形成されており、前記第２回転動は前記印刷機の中間胴として形成されており、前記主開閉扉回動軸及び前記副開閉扉回動軸は、前記圧胴と前記中間胴とのうち前記中間胴寄りの位置に設けられていることを特徴とする。
【００３２】
この発明では、主開閉扉回動軸及び前記副開閉扉回動軸は、中間胴寄りの位置に設けられているので、主開閉扉は開き、副開閉扉は閉じた状態にした場合には、副開閉扉は閉じつつ、圧胴側の開口面積が大きくなる。このため、圧胴のメンテナンス作業をする際にこの状態にすることにより、メンテナンス作業を行なう開口面積は確保しつつ、副開閉扉を作業時における足場として用いることができる。また、中間胴のメンテナンス作業を行う場合には、副開閉扉も開くことにより、開口部を大きく開けることができる。これらの結果、開閉扉を開いた際における作業性を、より確実に向上させることができる。
【発明の効果】
【００３３】
本発明に係る印刷機の開閉扉構造は、開閉扉を閉じた際における剛性を確保しつつ開口部の開口面積を拡大することができる、という効果を奏する。
【発明を実施するための最良の形態】
【００３４】
以下に、本発明に係る印刷機の開閉扉構造の実施例を図面に基づいて詳細に説明する。なお、この実施例によりこの発明が限定されるものではない。また、下記実施例における構成要素には、当業者が置換可能かつ容易なもの、或いは実質的に同一のものが含まれる。
【実施例】
【００３５】
図１は、本発明の実施例に係る印刷機の開閉扉構造を備えた印刷機の要部概略図である。同図に示す印刷機１は、上流側から搬送されてくるシート７０へ所定の印刷を施すユニットである印刷装置２が複数設けられており、さらに、第１回転胴である圧胴５と、第２回転胴である中間胴１０とを有している。これらの圧胴５と中間胴１０とは、互いに対接している。また、圧胴５と中間胴１０とは、共に爪７、１２を有しており、印刷機１の運転時に印刷装置２の上流側からシート７０が搬送されてきた際に、圧胴５と中間胴１０との対接部１８よりも圧胴５の回転方向における上流の位置で圧胴５の爪７で把持し、圧胴５の表面６に支持した状態で印刷可能に形成されている。その後、対接部１８で圧胴５の爪７から中間胴１０の爪１２へシート７０を受け渡し、対接部１８よりも中間胴１０の回転方向における下流側で、中間胴１０の表面１１に支持された状態で次の印刷装置２へ搬送可能に設けられている。また、圧胴５の上方には、従来の印刷機と同様に圧胴５の表面６に沿った形状で形成された棒状の紙ガイド１５が複数設けられている。
【００３６】
また、印刷機１の使用時における圧胴５と中間胴１０との上方には、主開閉扉である開閉足場４０と、副開閉扉である膝置き台５０とが備えられている。また、中間胴１０の上方には、開閉足場４０と膝置き台５０とが接続される開閉扉接続カバー部２２が設けられている。この開閉扉接続カバー部２２は、圧胴５と中間胴１０との少なくとも一部を覆うカバー部２０の一部として設けられている。さらに、圧胴５の上方には、圧胴５の回転軸方向に延びて形成される主開閉扉支持部である圧胴上ステイ２８が設けられている。開閉足場４０は、印刷機１の運転時には、開閉扉接続カバー部２２側の端部の反対側に位置する端部が圧胴上ステイ２８に接した状態になる。
【００３７】
図２は、図１のＡ−Ａ矢視図である。図３は、図２のＢ−Ｂ矢視図である。図４及び図５は、図３に示す主開閉扉、副開閉扉及び扉接続カバー部の斜視図である。図６は、図１に示す開閉扉構造の要部斜視図である。これらのように設けられる開閉足場４０と膝置き台５０とは、共に開閉扉接続カバー部２２に対して回動可能に開閉扉接続カバー部２２に接続されている。詳しく説明すると、開閉扉接続カバー部２２は、圧肉のアングル鋼によって形成される副開閉扉支持部である足場支持部材３０を有している。この足場支持部材３０は、当該足場支持部材３０を形成するアングル鋼が有する２つの面のうち、一方の面は略水平方向に沿って形成された足場支持部材上方部３１となっており、他方の面は、略上下方向に沿って形成された足場支持部材側方部３２となっている。これらの足場支持部材上方部３１と足場支持部材側方部３２とは、足場支持部材上方部３１は足場支持部材側方部３２の上端側に位置しており、足場支持部材側方部３２は、足場支持部材上方部３１における、圧胴５（図１参照）が位置している側の端部側に位置している。足場支持部材３０は、この形状で圧胴５や中間胴１０の回転軸方向に延びて形成されている。
【００３８】
開閉足場４０は、この足場支持部材３０に接続されており、詳しくは、開閉足場４０は蝶番状に形成された開閉足場回動ヒンジ６１によって足場支持部材上方部３１に接続されている。このため、開閉足場４０は、蝶番状に形成された開閉足場回動ヒンジ６１の回動軸を中心に回動可能に設けられている。即ち、開閉足場４０は、開閉足場回動ヒンジ６１の回動軸を主開閉扉回動軸である開閉足場回動軸６３として、この開閉足場回動軸６３を中心に回動可能に設けられている。このように、開閉足場４０と足場支持部材３０とを接続する開閉足場回動ヒンジ６１は、開閉足場回動軸６３が、圧胴５及び中間胴１０の回転軸と平行になる向きで開閉足場４０と足場支持部材３０とを接続している。
【００３９】
また、膝置き台５０も同様に足場支持部材３０に接続されており、詳しくは、膝置き台５０は蝶番状に形成された膝置き台回動ヒンジ６２によって足場支持部材側方部３２に接続されている。このため、膝置き台５０は、蝶番状に形成された膝置き台回動ヒンジ６２の回動軸を中心に回動可能に設けられている。即ち、膝置き台５０は、膝置き台回動ヒンジ６２の回動軸を副開閉扉回動軸である膝置き台回動軸６４として、この膝置き台回動軸６４を中心に回動可能に設けられている。このように、膝置き台５０と足場支持部材３０とを接続する膝置き台回動ヒンジ６２は、膝置き台回動軸６４が、圧胴５及び中間胴１０の回転軸と平行になる向きで膝置き台５０と足場支持部材３０とを接続している。
【００４０】
また、開閉足場回動ヒンジ６１は、２つの開閉足場回動ヒンジ６１が、圧胴５や中間胴１０の回転軸方向、つまり、開閉足場４０の幅方向における開閉足場４０の両端付近に位置している。同様に、膝置き台回動ヒンジ６２は、２つの膝置き台回動ヒンジ６２が、圧胴５や中間胴１０の回転軸方向、つまり、膝置き台５０の幅方向における膝置き台５０の両端付近に位置している。これにより、開閉足場４０と膝置き台５０とは、開閉扉接続カバー部２２に対して回動可能に開閉扉接続カバー部２２に接続されている。また、開閉足場回動ヒンジ６１と膝置き台回動ヒンジ６２とは、共に足場支持部材３０に接続されているため、開閉足場回動軸６３と膝置き台回動軸６４とは互いに近接している。
【００４１】
また、開閉足場４０は、平らな板状の形状で、略矩形状に形成された平面部４１を有している。２つの開閉足場回動ヒンジ６１は、この略矩形状に形成された平面部４１の一辺付近に接続されている。また、平面部４１における膝置き台５０が位置している側の面には、開閉足場補強部材４５が設けられている。この開閉足場補強部材４５は、断面形状がコの字状の形状で形成されており、コの字の形状における開口側の端部が平面部４１に接続される向きで、且つ、開閉足場回動軸６３とほぼ平行に延びて形成されている。また、平面部４１における開閉足場補強部材４５が設けられている側の面には、後述するダンパー６５（図１１参照）が接続されるダンパー接続部４６が設けられている。
【００４２】
また、開閉足場４０における開閉足場回動ヒンジ６１が接続されている側の端部の反対側に位置する端部には、開閉足場補強部４２が設けられている。この開閉足場補強部４２は、開閉足場４０の平面部４１における開閉足場補強部材４５が設けられている側の面の反対側に位置する面に設けられている。詳しくは、この開閉足場補強部４２は、平面部４１の端部が、開閉足場補強部材４５が設けられている側の面の反対側に位置する面の方向に折り返され、箱状に形成されることにより設けられている。
【００４３】
また、膝置き台５０は、開閉足場４０と同様に平らな形状で、略矩形状に形成された平面部５１を有している。２つの膝置き台回動ヒンジ６２は、この略矩形状に形成された平面部５１の一辺付近に接続されている。また、膝置き台５０は、外周部分が、開閉足場４０が位置している側の反対方向に折り返されることにより形成される側面部５２を有している。つまり、側面部５２は、略矩形状に形成された膝置き台５０の平面部５１に形成される全ての辺に設けられている。また、このように平面部５１が有する４つの辺に形成される側面部５２は、それぞれ高さが異なっており、膝置き台回動ヒンジ６２が接続されている側に位置する側面部５２の高さが最も高く、膝置き台回動ヒンジ６２が接続されている側の端部の反対側に位置する端部に設けられる側面部５２は、高さが最も低くなっている。この側面部５２のうち、膝置き台回動ヒンジ６２が接続されている側に位置し、高さが最も高く形成された側面部５２は、カバー部接続側側面部５３となっている。
【００４４】
また、膝置き台５０の平面部５１における開閉足場４０が位置している側の面の反対側に位置する面には、膝置き台補強部材５５が設けられている。この膝置き台補強部材５５は、断面形状がコの字状の形状で形成されており、コの字の形状における開口側の端部が平面部５１に接続する向きで、且つ、膝置き台回動軸６４とほぼ平行に延びて形成されている。
【００４５】
さらに、膝置き台５０は、開閉足場回動軸６３や膝置き台回動軸６４の形成方向における長さ、即ち、膝置き台５０の幅が、開閉足場４０の幅よりも狭くなっており、開閉足場４０に設けられた開閉足場補強部材４５の長さより狭くなっている。また、膝置き台５０は、この幅方向と直交する方向、即ち、膝置き台５０におけるカバー部接続側側面部５３が位置している辺と、このカバー部接続側側面部５３と対向する側面部５２が設けられている辺との距離方向における長さも、同じ方向における開閉足場４０の長さより短くなっている。
【００４６】
図７は、図１に示す開閉足場と膝置き台とが開いた状態を示す説明図である。図８は、図７のＣ−Ｃ矢視図である。なお、図８は、開閉足場４０と膝置き台５０とが開いた状態を示すため、開閉足場４０と膝置き台５０とを省略してある。開閉足場４０や膝置き台５０は、上記のように開閉扉接続カバー部２２に接続されているが、この開閉扉接続カバー部２２は、圧胴５や中間胴１０を覆うカバー部２０の一部として設けられている。このようなカバー部２０は、印刷機１を構成し、強度部材として設けられているフレーム２５に固定されている。このため、開閉扉接続カバー部２２も他のカバー部２０と同様に、フレーム２５に固定されている。
【００４７】
また、カバー部２０は、圧胴５と中間胴１０との双方に対して開口した開口部２１を有している。この開口部２１は、略矩形状の形状で開口しており、その大きさ及び形状は、開閉足場４０のほぼ同じ大きさ及び形状となっている。開閉扉接続カバー部２２は、開口部２１の形状である矩形の一辺付近に設けられている。このため、開口部２１の形状である矩形の一辺には、開閉足場回動ヒンジ６１や膝置き台回動ヒンジ６２が設けられている。
【００４８】
これにより、開閉足場回動ヒンジ６１によってカバー部２０に回動可能に接続されている開閉足場４０は、開閉足場回動軸６３を中心に回動することにより開口部２１のほぼ全体を開閉可能に設けられている。また、膝置き台回動ヒンジ６２によってカバー部２０に回動可能に接続されている膝置き台５０は、膝置き台回動軸６４を中心に回動することにより開口部２１の一部を開閉可能に設けられている。また、開閉足場回動ヒンジ６１や膝置き台回動ヒンジ６２は、互いに対接する圧胴５と中間胴１０とのうち、中間胴１０寄りの位置に設けられている。このため、開閉足場回動軸６３及び膝置き台回動軸６４も同様に、圧胴５と中間胴１０とのうち、中間胴１０寄りの位置に設けられている。
【００４９】
また、開口部２１において開閉足場回動ヒンジ６１や膝置き台回動ヒンジ６２が設けられている辺に対向する辺の付近には、圧胴上ステイ２８が設けられている。この圧胴上ステイ２８は、開口部２１を形成するカバー部２０よりも、開口部２１の内側方向に突出している。このため、開閉足場回動ヒンジ６１によってカバー部２０に接続されている開閉足場４０を回動させて開口部２１を閉じた場合には、開閉足場４０は開口部２１のほぼ全体を閉じると同時に、開閉足場回動ヒンジ６１が接続されている側の端部の反対側に位置する端部付近が、圧胴上ステイ２８の上方から圧胴上ステイ２８に当接する（図１参照）。
【００５０】
この実施例に係る印刷機１の開閉扉構造は、以上のごとき構成からなり、以下、その作用について説明する。このような開閉足場４０や膝置き台５０が設けられている印刷機１の運転中は、開閉足場４０及び膝置き台５０は、開口部２１を閉じている。このように開閉足場４０と膝置き台５０とを閉じる場合には、膝置き台５０は、開閉足場５０と重ねて閉じられる。その際の双方の位置は、開閉足場回動ヒンジ６１が足場支持部材３０の足場支持部材上方部３１に接続され、膝置き台回動ヒンジ６２は足場支持部材３０の足場支持部材側方部３２に接続されているため、膝置き台５０上から開閉足場４０が重ねられる。
【００５１】
このように、開閉足場４０と膝置き台５０とを重ねて閉じた場合には、開閉足場４０は、開閉足場回動ヒンジ６１が接続されている側の端部の反対側に位置する端部、即ち、開閉足場補強部４２が設けられている端部付近が、圧胴上ステイ２８の上方から圧胴上ステイ２８に当接して圧胴上ステイ２８で支持される。また、膝置き台５０は、カバー部接続側側面部５３が足場支持部材３０の足場支持部材側方部３２に当接し、足場支持部材３０によって支持される。
【００５２】
また、圧胴５と中間胴１０とを覆うカバー部２０は、印刷機１のメンテナンス作業時には、足場として用いられる。このため、印刷機１のメンテナンス作業時には、作業者はカバー部２０上に乗ったりカバー部２０上を歩いたりする。従って、開閉足場４０と膝置き台５０とを重ねて閉じた場合には、開閉足場４０もカバー部２０と同様に、メンテナンス作業時には、作業者は開閉足場４０上に乗ったり開閉足場４０上を歩いたりする。
【００５３】
ここで、開閉足場４０は、一端が開閉足場回動ヒンジ６１によって足場支持部材３０に接続されており、開閉足場補強部４２が設けられている端部付近は、圧胴上ステイ２８によって支持されている。このため、開閉足場４０を閉じた際には、開閉足場４０上に作業者が乗った場合のように開閉足場４０の上部から下方に向かって作用する荷重、即ち開閉足場４０を閉じる方向に作用する力は、足場支持部材３０及び圧胴上ステイ２８によって受けることができる。
【００５４】
また、開閉足場４０を閉じた場合には、開閉足場４０と膝置き台５０とは重ねて閉じられる。このため、開閉足場４０を閉じる方向に作用する力は、膝置き台５０にも伝達される。このように、開閉足場４０を閉じた状態において開閉足場４０を閉じる方向に作用する力が膝置き台５０に伝達された場合には、膝置き台５０は膝置き台回動軸６４を中心として回動可能に設けられているため、膝置き台５０を閉じた際に閉じる方向に作用する力を膝置き台回動軸６４を中心とした回動方向に向きを変えてカバー部２０に伝達可能に形成されている。
【００５５】
具体的には、膝置き台５０を閉じた際に、当該膝置き台５０を閉じる方向に作用する力は、膝置き台回動軸６４を中心とした回動方向に約９０°向きを変えられて、カバー部接続側側面部５３から足場支持部材側方部３２に伝達される。ここで、カバー部接続側側面部５３と足場支持部材側方部３２とが当接した場合には、カバー部接続側側面部５３と足場支持部材側方部３２とは面接触によって当接する。このため、膝置き台５０を閉じた際に、当該膝置き台５０に対して閉じる方向に作用する力は、面接触によってカバー部接続側側面部５３から足場支持部材側方部３２に伝達される。即ち、膝置き台５０は、膝置き台５０を閉じた際に閉じる方向に作用する力を、面接触によりカバー部２０に伝達可能に形成されている。
【００５６】
図９は、図１に示す開閉足場が開いた状態を示す説明図である。図１０は、図９のＤ−Ｄ矢視図である。図１１は、図９に示す開閉扉構造の要部斜視図である。なお、図１０は、開閉足場４０が開いた状態を示すため、開閉足場４０を省略してある。印刷機１の運転時には、インキによる汚れや点検整備などを行なうため、定期的、或いは必要に応じてメンテナンスをする必要がある。例えば、圧胴５は、印刷時には表面６にシート７０を支持した状態で印刷するので、表面６にインキが付着し易くなっている。このため、圧胴５は表面６に付着したインキを除去するため、清掃をする必要がある。圧胴５を清掃する場合には、開閉足場４０のみを開き、膝置き台５０は閉じた状態にする。
【００５７】
ここで、開閉足場４０には、図１１に示すようにダンパー接続部４６にダンパー６５が接続されている。このダンパー６５は、一端が開閉足場４０に接続され、他端はフレーム２５に接続されている。さらに、このダンパー６５は、開閉足場４０が開く方向に、開閉足場４０に対して付勢力を与えている。このため、開閉足場４０を開いた場合には、開閉足場４０は開いた状態に維持される。また、開閉足場４０を開いた場合には、開閉足場４０は９０°以上開いた状態で停止する、即ち、開閉足場４０は開口部２１側の反対側に傾斜した状態で停止するので、より確実に開いた状態に維持される。
【００５８】
圧胴５を清掃する場合には、このように開閉足場４０のみを開き、膝置き台５０は閉じた状態にするが、膝置き台回動軸６４は、圧胴５と中間胴１０との上方における中間胴１０寄りの位置に設けられている。このため、閉じた状態における膝置き台５０は、圧胴５と中間胴１０との上方における中間胴１０寄りの位置に位置することになる。これにより、膝置き台５０を閉じた状態でも、開口部２１の圧胴５寄りの位置は大きく開かれることになる。従って、作業者は、大きく開かれた開口部２１より、圧胴５を清掃できる。さらに、膝置き台５０は閉じた状態になっているため、圧胴５を清掃する際には、作業者は膝を膝置き台５０に置いて清掃作業をすることができる。
【００５９】
つまり、膝置き台５０は、当該膝置き台５０を閉じた際に閉じる方向に作用する力を、面接触によりカバー部２０に伝達可能に形成されているため、清掃作業時においても、作業者は膝を膝置き台５０に置き、膝置き台５０に体重をかけて清掃作業を行なうことができる。これにより、圧胴５の広い範囲に手が届き易くなるので、圧胴５の広い範囲を楽に清掃することができる。
【００６０】
図１２は、図７に示す開閉扉構造の要部斜視図である。また、中間胴１０の爪１２の調整時など、中間胴１０のメンテナンスをする場合には、開閉足場４０と膝置き台５０との双方を開く（図７、図１２）。このように、開閉足場４０と共に膝置き台５０も開くことにより、開口部２１は、中間胴１０の上方付近も大きく開かれた状態になる。これにより、中間胴１０のメンテナンス作業が行ない易くなる。また、このように開閉足場４０と膝置き台５０との双方を開く場合には、膝置き台５０は、開閉足場４０に接して停止する。
【００６１】
ここで、この開閉足場４０は、開いた際には上記のように開いた状態を維持することができ、また、開閉足場回動ヒンジ６１は、足場支持部材３０の足場支持部材上方部３１に接続され、膝置き台回動ヒンジ６２は、足場支持部材３０の足場支持部材側方部３２に接続されている。このため、膝置き台回動軸６４は、開閉足場回動軸６３よりも開口部２１寄りに位置しているので、開閉足場４０と膝置き台５０との双方を開き、膝置き台５０を開閉足場４０に当接させた場合には、膝置き台５０は９０°以上開き、開閉足場５０に、もたれ掛かった状態になる。従って膝置き台５０は、開いた状態に維持される。
【００６２】
以上の印刷機１の開閉扉構造は、圧胴５と中間胴１０との双方に対して開口した開口部２１の全体を開閉可能な開閉足場４０を設け、さらに、開口部２１の一部を開閉すると共に、開閉足場４０と重ねて閉じられる膝置き台５０を備えている。このため、開閉足場４０と膝置き台５０とを重ねて閉じた際には、膝置き台５０が設けられている部分は強度が向上するため、剛性を確保することができる。また、開閉足場４０と重ねて閉じることにより剛性を確保する部材として作用をする膝置き台５０は、開口部２１の一部を開閉可能に形成されているため、必要に応じて開閉することができる。例えば、圧胴５や中間胴１０のメンテナンス作業時などに、あまり大きな開口部２１が必要ではない場合には膝置き台５０は閉じた状態にし、大きな開口部２１が必要な場合には膝置き台５０を開くことにより、開口部２１の開口面積を大きくすることができる。これらの結果、開閉扉である開閉足場４０を閉じた際における剛性を確保しつつ開口部２１の開口面積を拡大することができる。
【００６３】
また、膝置き台５０は、外周部分が折り返されているので、膝置き台５０単体の剛性の向上を図ることができる。このため、開閉足場４０を閉じる際に、この膝置き台５０と重ねて閉じることにより、開閉足場４０を閉じた際における剛性の向上を図ることができる。この結果、より確実に開閉足場４０を閉じた際における剛性を確保しつつ開口部２１の開口面積を拡大することができる。
【００６４】
また、膝置き台５０は、当該膝置き台５０を閉じた際に閉じる方向に作用する力をカバー部２０に伝達可能に設けられているので、膝置き台５０を開閉足場４０と重ねて閉じた場合に、開閉足場４０に作用する力を、膝置き台５０を介してカバー部２０に伝達することができる。これにより、開閉足場４０を閉じた際に、より大きな力を開閉足場４０で受けることができる。この結果、より確実に開閉足場４０を閉じた際における剛性を確保しつつ開口部２１の開口面積を拡大することができる。
【００６５】
また、膝置き台５０を閉じる方向に作用する力を、膝置き台回動軸６４を中心とした回動方向に向きを変えてカバー部２０に伝達可能に形成されているので、開閉足場４０に対して閉じる方向に作用する力を、膝置き台５０を介してより確実にカバー部２０に伝達することができる。これにより、開閉足場４０を閉じた際に、より大きな力を開閉足場４０で受けることができる。この結果、より確実に開閉足場４０を閉じた際における剛性を確保しつつ開口部２１の開口面積を拡大することができる。
【００６６】
また、膝置き台５０は、閉じる方向に作用する力を面接触によりカバー部２０に伝達可能に形成されているので、開閉足場４０に対して閉じる方向に作用する力を、膝置き台５０を介してカバー部２０に伝達する際に、より大きな力を伝達することができる。これにより、開閉足場４０を閉じた際に、より大きな力を開閉足場４０で受けることができる。この結果、より確実に開閉足場４０を閉じた際における剛性を確保しつつ開口部２１の開口面積を拡大することができる。
【００６７】
また、カバー部２０に、膝置き台５０に対して閉じる方向に作用する力を受ける足場支持部材３０が設けられているので、膝置き台５０に作用する力をカバー部２０で受ける際に、より大きな力を受けることができる。これにより、開閉足場４０に対して閉じる方向に作用する力を、膝置き台５０を介してカバー部２０で受ける際に、より大きな力を受けることができるので、開閉足場４０を閉じた際に、より大きな力を開閉足場４０で受けることができる。この結果、より確実に開閉足場４０を閉じた際における剛性を確保しつつ開口部２１の開口面積を拡大することができる。
【００６８】
また、カバー部２０に、開閉足場４０に対して閉じる方向に作用する力を受ける圧胴上ステイ２８が設けられているので、開閉足場４０に作用する力をカバー部２０で受ける際に、より大きな力を受けることができる。これにより、開閉足場４０を閉じた際に、より大きな力を開閉足場４０で受けることができる。この結果、より確実に開閉足場４０を閉じた際における剛性を確保しつつ開口部２１の開口面積を拡大することができる。
【００６９】
また、開閉足場回動軸６３と膝置き台回動軸６４とは、互いに近接しているため、開閉足場４０と膝置き台５０とを共に開いた場合、双方は重ねて開かれた状態になる。このため、開いた状態における開閉足場４０と膝置き台５０とは、１箇所に位置することになるので、メンテナンス作業等を行なう場合でも、開閉足場４０や膝置き台５０が作業等の邪魔になることを、極力抑えることができる。この結果、開閉足場４０を開いた際における作業性の向上を図ることができる。
【００７０】
また、開閉足場回動軸６３及び膝置き台回動軸６４は、中間胴１０寄りの位置に設けられているので、開閉足場４０は開き、膝置き台５０は閉じた状態にした場合には、膝置き台５０は閉じつつ、圧胴５側の開口面積が大きくなる。このため、圧胴５のメンテナンス作業をする際にこの状態にすることにより、メンテナンス作業を行なう開口面積は確保しつつ、膝置き台５０を作業時における足場として用いることができる。また、中間胴１０のメンテナンス作業を行う場合には、膝置き台５０も開くことにより、開口部２１を大きく開けることができる。これらの結果、開閉足場４０を開いた際における作業性を、より確実に向上させることができる。
【００７１】
なお、第１回転胴は圧胴５となっており、第２回転胴は中間胴１０となっているが、第１回転胴及び第２回転胴は、これら以外の回転胴でもよい。第１回転胴及び第２回転胴が、圧胴５と中間胴１０以外の回転胴であっても、開口部２１は第１回転胴と第２回転胴とに対して開口し、開閉足場４０や膝置き台５０は、この開口部２１を開閉可能に設けられていればよい。これにより、開閉足場４０を閉じた際における剛性を確保しつつ開口部２１の開口面積を拡大することができる。
【産業上の利用可能性】
【００７２】
以上のように、本発明に係る印刷機の開閉扉構造は、枚葉印刷機の開閉扉構造に有用であり、特に、印刷機の圧胴と中間胴とに対して開口している開口部を開閉する開口扉に適している。
【図面の簡単な説明】
【００７３】
【図１】本発明の実施例に係る印刷機の開閉扉構造を備えた印刷機の要部概略図である。
【図２】図１のＡ−Ａ矢視図である。
【図３】図２のＢ−Ｂ矢視図である。
【図４】図３に示す主開閉扉、副開閉扉及び扉接続カバー部の斜視図である。
【図５】図３に示す主開閉扉、副開閉扉及び扉接続カバー部の斜視図である。
【図６】図１に示す開閉扉構造の要部斜視図である。
【図７】図１に示す開閉足場と膝置き台とが開いた状態を示す説明図である。
【図８】図７のＣ−Ｃ矢視図である。
【図９】図１に示す開閉足場が開いた状態を示す説明図である。
【図１０】図９のＤ−Ｄ矢視図である。
【図１１】図９に示す開閉扉構造の要部斜視図である。
【図１２】図７に示す開閉扉構造の要部斜視図である。
【図１３】従来の印刷装置の概略構成図である。
【図１４】図１３のＥ部詳細図である。
【符号の説明】
【００７４】
１  印刷機
２、８２  印刷装置
５、８４  圧胴
６、９１  表面
７、９４  爪
１０、８５  中間胴
１１、９２  表面
１２、９５  爪
１５、８８  紙ガイド
１８、９８、９９  対接部
２０  カバー部
２１  開口部
２２  開閉扉接続カバー部
２５  フレーム
２８  圧胴上ステイ（主開閉扉支持部）
３０  足場支持部材（副開閉扉支持部）
３１  足場支持部材上方部
３２  足場支持部材側方部
４０  開閉足場（主開閉扉）
４１  平面部
４２  開閉足場補強部
４５  開閉足場補強部材
４６  ダンパー接続部
５０  膝置き台（副開閉扉）
５１  平面部
５２  側面部
５３  カバー部接続側側面部
５５  膝置き台補強部材
６１  開閉足場回動ヒンジ
６２  膝置き台回動ヒンジ
６３  開閉足場回動軸
６４  膝置き台回動軸
６５  ダンパー
７０、８２  シート
８６  圧胴側開閉扉
８７  中間胴側開閉扉
８９  支持梁
９３  ピン
９６  梁
９７  スペース
１００  インキローラ群
１０１  版胴
１０２  刷版
１０３  ブランケット胴
【図１】
2008229910.tif 000003
【図２】
2008229910.tif 000004
【図３】
2008229910.tif 000005
【図４】
2008229910.tif 000006
【図５】
2008229910.tif 000007
【図６】
2008229910.tif 000008
【図７】
2008229910.tif 000009
【図８】
2008229910.tif 000010
【図９】
2008229910.tif 000011
【図１０】
2008229910.tif 000012
【図１１】
2008229910.tif 000013
【図１２】
2008229910.tif 000014
【図１３】
2008229910.tif 000015
【図１４】
2008229910.tif 000016